(57)【要約】  監視装置および１つ以上のそのような監視装置を利用するシステムを本明細書において開示する。本監視装置は、受動赤外線（ＰＩＲ）センサと、電源と、マイクロコントローラと、無線送受信機とを収容する保護ハウジングを備える。電源は、前記ＰＩＲセンサ、前記マイクロコントローラおよび前記無線送受信機のうちのそれぞれに電力供給する。マイクロコントローラは、前記ＰＩＲセンサから動き検出信号を受信するとすぐに、前記無線送受信機を介して、警報メッセージを送信するように構成されている。【選択図】図１４
2019533266.tif 000002
【特許請求の範囲】
【請求項１】
監視装置であって、
保護ハウジングであって、
受動赤外線（ＰＩＲ）センサと、
電源と、
マイクロコントローラと、
無線送受信機と、
を収容し、
前記電源は、前記ＰＩＲセンサ、前記マイクロコントローラ、および前記無線送受信機のそれぞれに電力供給し、かつ
さらに、前記マイクロコントローラは、前記ＰＩＲセンサから動き検出信号を受信するとすぐに、前記無線送受信機を介して、警報メッセージを送信するように構成されている、
保護ハウジング
を備える、監視装置。
【請求項２】
前記無線送受信機は、３Ｇ、４Ｇ、Ｗｉ−Ｆｉ、ブルートゥース、ＬＴＥ、あるいは、ＬＴＥ−ＭＴＣ、ＬｏＲａ、ＮａｒｒｏｗＢａｎｄ  ＩｏＴ、６ＬｏｗＰＡＮ、およびＳｉｇｆｏｘなどの、低電力ワイドエリアネットワーク（ＬＰＷＡＮ）技術からなる群から選択される無線伝送プロトコルを実装するように構成されている、請求項１に記載の監視装置。
【請求項３】
タンパー行為を検出するように構成されたタンパースイッチをさらに備え、
前記マイクロコントローラは、前記タンパースイッチからタンパー行為検出信号を受信するとすぐに、前記無線送受信機を介して、警報メッセージを送信するように構成されている、
請求項１および２のどちらか１項に記載の監視装置。
【請求項４】
加速度計をさらに備え、
前記マイクロコントローラは、前記加速度計から動き検出信号を受信するとすぐに、前記無線送受信機を介して、警報メッセージを送信するように構成されている、
請求項１乃至３のいずれか１項に記載の監視装置。
【請求項５】
前記保護ハウジングは、互いに係合して前記電源、ＰＩＲセンサ、マイクロコントローラおよび送受信機がその中に位置している空洞を画定するように構成された前部および後部を備える、請求項１乃至４のいずれか１項に記載の監視装置。
【請求項６】
前記前部と前記後部との間に設置されている密封部材をさらに備える、請求項５に記載の監視装置。
【請求項７】
前記密封部材は、ゴムまたはシリコンで作られている、請求項６に記載の監視装置。
【請求項８】
前記ハウジングを固定物に固定するための対応する留め具のセットを受け入れるための開口部のセットをさらに備える、請求項１乃至７のいずれか１項に記載の監視装置。
【請求項９】
前記保護ハウジングは、前記ハウジングの背面に少なくとも１つの実質的に平坦な領域を含み、前記実質的に平坦な領域は前記監視装置を接着によって固定物に固定するための接着剤を受け入れるのに適している、請求項１乃至８のいずれか１項に記載の監視装置。
【請求項１０】
温度計、ＧＰＳポジショニングユニット、サイレン、光センサ、およびマイクロホンのうちの少なくとも１つをさらに備える、請求項１乃至９のいずれか１項に記載の監視装置。
【請求項１１】
前記監視装置はマイクロホンを備え、かつ、前記マイクロコントローラは、所定の音声閾値を超える音声信号を検出するとすぐに、前記無線送受信機を介して、警報メッセージを送信するように構成されている、請求項１０に記載の監視装置。
【請求項１２】
システムであって、
監視装置のセットであって、各監視装置は、
保護ハウジングであって、
受動赤外線（ＰＩＲ）センサと、
電源と、
マイクロコントローラと、
無線送受信機と、
を収容し、
前記電源は、前記ＰＩＲセンサ、前記マイクロコントローラ、および前記無線送受信機のそれぞれに電力供給し、かつ
さらに、前記マイクロコントローラは、前記ＰＩＲセンサから動き検出信号を受信するとすぐに、前記無線送受信機を介して、警報メッセージを送信するように構成されている、
保護ハウジング
を含む、監視装置のセットと、
通信ネットワークに接続された管理サーバと、
前記警報メッセージを受信するための無線基地局であって、前記無線基地局は、通信ネットワークに接続されており、かつ、前記受信された警報メッセージを前記管理サーバに伝送するように構成されている、無線基地局と、
を備える、システム。
【請求項１３】
前記無線送受信機は、３Ｇ、４Ｇ、Ｗｉ−Ｆｉ、ブルートゥース、ＬＴＥ、あるいは、ＬＴＥ−ＭＴＣ、ＬｏＲａ、ＮａｒｒｏｗＢａｎｄ  ＩｏＴ、６ＬｏｗＰＡＮ、およびＳｉｇｆｏｘなどの、低電力ワイドエリアネットワーク（ＬＰＷＡＮ）技術からなる群から選択される無線伝送プロトコルを実装するように構成されている、請求項１２に記載のシステム。
【請求項１４】
前記基地局は前記選択された無線伝送プロトコルを実装している、請求項１３に記載のシステム。
【請求項１５】
各監視装置は、所定の定期的な間隔で、前記基地局を介して、前記管理サーバにハートビート信号を伝送する、請求項１２乃至１４のいずれか１項に記載のシステム。
【請求項１６】
前記管理サーバは、前記監視装置のどの１つからもハートビート信号を受信したことなく所定の時間閾値が過ぎた場合に警報を発し、前記時間閾値は前記所定の定期的な間隔よりも大きい、請求項１５に記載のシステム。
【請求項１７】
前記管理サーバは、前記監視装置のそれぞれに関連する規則的活動のスケジュールを格納し、前記スケジュールは、１日の中の期間のセットのために予期される活動の範囲を定め、
さらに、前記管理サーバは、前記監視装置のセットによって検出される活動の検出されたレベルが所定の量よりも多く前記スケジュールから逸脱した場合に警報を発する、
請求項１２乃至１６のいずれか１項に記載のシステム。
【請求項１８】
前記警報は、音響警報、視覚警報、および電子メッセージのうちの少なくとも１つを含む、請求項１６および１７のどちらか１項に記載のシステム。
【請求項１９】
前記電子メッセージは、Ｅメール、ショートメッセージサービス（ＳＭＳ）テキストメッセージ、マルチメディアメッセージサービス（ＭＭＳ）、チャットメッセージ、またはコンピュータ装置で実行されるソフトウェアアプリケーション（「ａｐｐ」）上でのメッセージのうちの１つである、請求項１８に記載のシステム。
【発明の詳細な説明】
【技術分野】
【０００１】
（関連出願の相互参照）
本出願は、ＡＴＦ  Ｓｅｒｖｉｃｅｓ  Ｐｔｙ社の名で２０１６年９月９日に出願された「監視装置」という発明の名称のオーストラリア仮特許出願第２０１６９０３６３８号およびＡＴＦ  Ｓｅｒｖｉｃｅｓ  Ｐｔｙ社の名で２０１６年９月９日に出願された「監視装置」という発明の名称のオーストラリアのイノベーション特許第２０１７１００２０９号に関し、その各内容全体があたかも本明細書に完全に記載されているかのように参照により組み込まれる。
【０００２】
本開示は監視装置に関する。特に、本開示は屋内もしくは屋外環境のいずれかで使用するのに適した監視装置に関する。
【背景技術】
【０００３】
受動赤外線センサ（ＰＩＲ）は、ＰＩＲセンサの視野内であらゆる物体から放射される赤外線（ＩＲ）光を測定する電子センサである。全ての物体が放射線の形態で熱エネルギーを放出している。この放出される放射エネルギーは可視光よりも長い波長を有する赤外領域にあり、典型的には７００ｎｍ〜１ｍｍの領域である。
【０００４】
ＰＩＲセンサは、そのようなセンサが検出のためにどんなエネルギーも放出しないという点で受動的である。それどころか、ＰＩＲセンサは他の物体から放出されたエネルギーを検出する。
【０００５】
既存のＰＩＲセンサは動き検出器などの監視装置で利用されることがあり、受動赤外線検出器（ＰＩＤ）と呼ばれることもある。そのような動き検出器は、盗難警報器および自動的に起動する照明システムのためによく使用されている。従って、これらの動き検出器は、簡素なハウジングで十分である屋内環境または保護された軒下での使用に適している。さらに、そのような用途は、動き検出器を公知の入口または出口をカバーするように設置することができるため、明確な視野を有する。
【０００６】
既存のＰＩＲ動きセンサは、天候からの保護が僅かであるか全くないため屋外環境には適していない。従って、水の侵入によりそのような装置の間欠故障、回路の損傷およびさらには完全な故障が生じることがある。さらに、既存のＰＩＲ装置は悪意のある損傷すなわちタンパー行為を受けやすい。
【０００７】
そこで、改良された監視装置を提供することが必要とされている。
【発明の概要】
【０００８】
本開示は監視装置に関する。
【０００９】
本開示の第１の態様は、
監視装置であって、
保護ハウジングであって、
受動赤外線（ＰＩＲ）センサと、
電源と、
マイクロコントローラと、
無線送受信機と、
を収容し、
前記電源は、前記ＰＩＲセンサ、前記マイクロコントローラ、および前記無線送受信機のそれぞれに電力供給し、かつ
さらに、前記マイクロコントローラは、前記ＰＩＲセンサから動き検出信号を受信するとすぐに、前記無線送受信機を介して、警報メッセージを送信するように構成されている、
保護ハウジング
を備える監視装置を提供する。
【００１０】
本開示の第２の態様は、
システムであって、
監視装置のセットであって、各監視装置は、
保護ハウジングであって、
受動赤外線（ＰＩＲ）センサと、
電源と、
マイクロコントローラと、
無線送受信機と、
を収容し、
前記電源は、前記ＰＩＲセンサ、前記マイクロコントローラ、および前記無線送受信機のそれぞれに電力供給し、かつ
さらに、前記マイクロコントローラは、前記ＰＩＲセンサから動き検出信号を受信するとすぐに、前記無線送受信機を介して、警報メッセージを送信するように構成されている、
保護ハウジング
を含む、監視装置のセットと、
通信ネットワークに接続された管理サーバと、
前記警報メッセージを受信するための無線基地局であって、前記無線基地局は、通信ネットワークに接続されており、かつ、前記受信された警報メッセージを前記管理サーバに伝送するように構成されている、無線基地局と、
を備えるシステムを提供する。
【００１１】
別の態様によれば、本開示は上記方法のいずれか１つを実施するための装置を提供する。
【００１２】
別の態様によれば、本開示は上記方法のいずれか１つを実施するためのコンピュータプログラムが記録されているコンピュータ可読媒体を含むコンピュータプログラム製品を提供する。
【００１３】
本開示の他の態様も提供される。
【００１４】
以下、本開示の１つ以上の実施形態について添付の図面を参照しながら具体例によって説明する。
【図面の簡単な説明】
【００１５】
【図１】監視装置の正面図である。
【図２】図１の監視装置の左側面図である。
【図３】図１の監視装置の右側面図である。
【図４】図１の監視装置の斜視図である。
【図５】図１の監視装置の分解図である。
【図６】図１の監視装置の上面図である。
【図７】図１の監視装置の背面図である。
【図８】Ａ−Ａ軸を通じる、図１の監視装置の断面図である。
【図９】監視装置の機能モジュールの概略ブロック図である。
【図１０】パッキングプレートと共に監視装置を表す概略ブロック図である。
【図１１】監視装置の背面の周りでの水の流れを示す概略ブロック図である。
【図１２】監視装置の前面の周りでの水の流れを示す概略ブロック図である。
【図１３】６ＬｏｗＰＡＮ信号プロトコルを用いる監視装置のセットを用いて実装されるシステムを表す概略ブロック図である。
【図１４】Ｓｉｇｆｏｘ信号プロトコルを用いる監視装置のセットを用いて実装されるシステムを表す概略ブロック図である。
【図１５】家に設置される監視装置のセットを用いて実装されるシステムを表す概略ブロック図である。
【図１６】１つ以上の監視装置のセットを用いて実装される監視システムを構成および管理するためのソフトウェアアプリケーションに関連するスクリーンショットである。
【図１７】１つ以上の監視装置のセットを用いて実装される監視システムを構成および管理するためのソフトウェアアプリケーションに関連するスクリーンショットである。
【図１８】１つ以上の監視装置のセットを用いて実装される監視システムを構成および管理するためのソフトウェアアプリケーションに関連するスクリーンショットである。
【図１９】１つ以上の監視装置のセットを用いて実装される監視システムを構成および管理するためのソフトウェアアプリケーションに関連するスクリーンショットである。
【図２０】１つ以上の監視装置のセットを用いて実装される監視システムを構成および管理するためのソフトウェアアプリケーションに関連するスクリーンショットである。
【図２１】１つ以上の監視装置のセットを用いて実装される監視システムを構成および管理するためのソフトウェアアプリケーションに関連するスクリーンショットである。
【図２２】１つ以上の監視装置のセットを用いて実装される監視システムを構成および管理するためのソフトウェアアプリケーションに関連するスクリーンショットである。
【図２３】１つ以上の監視装置のセットを用いて実装される監視システムを構成および管理するためのソフトウェアアプリケーションに関連するスクリーンショットである。
【図２４】１つ以上の監視装置のセットを用いて実装される監視システムを構成および管理するためのソフトウェアアプリケーションに関連するスクリーンショットである。
【図２５】１つ以上の監視装置のセットを用いて実装される監視システムを構成および管理するためのソフトウェアアプリケーションに関連するスクリーンショットである。
【図２６】１つ以上の監視装置のセットを用いて実装される監視システムを構成および管理するためのソフトウェアアプリケーションに関連するスクリーンショットである。
【図２７】１つ以上の監視装置のセットを用いて実装される監視システムを構成および管理するためのソフトウェアアプリケーションに関連するスクリーンショットである。
【図２８】１つ以上の監視装置のセットを用いて実装される監視システムを構成および管理するためのソフトウェアアプリケーションに関連するスクリーンショットである。
【発明を実施するための形態】
【００１６】
同じ符号を有する添付の図面の中の方法の工程または特徴は、反対の意図が表現または含意されていない限り、同じ機能または動作を有するものとみなす。
【００１７】
本開示は、屋内および屋外用途に適した監視装置を提供する。本監視装置は、本監視装置の視野を定めるためのフレネルレンズとの組み合わせで動作する受動赤外線（ＰＩＲ）センサモジュールを備える。一構成では、１〜１５メートルの範囲に１４０°の有効視野を与えるフレネルレンズ（超広角アレイ）が利用される。当然のことながら、異なるフレネルレンズおよび使える状態に配置された際の本監視装置の異なる向きを使用して異なる有効視野を得てもよい。
【００１８】
１つ以上の実施形態では、本監視装置は、水分および水の侵入を防止または減少させるための１つ以上の密封部材を有する保護ハウジングも備える。そのような密封部材としては、例えば限定されるものではないが、１つ以上のグロメット、Ｏリング、ガスケットなどが挙げられる。一構成では、本監視装置は、本監視装置が耐塵性であり、かつ散水、水飛沫または噴流の侵入に耐えるように構成されていることを示す６３〜６５の侵入保護等級（ＩＰＲ）を有する。保護ハウジングは好ましくは、水分が保護ハウジングのどの部分にも集まらないよう水の流出を促進するように成形されている。
【００１９】
保護ハウジングは、悪天候条件および悪意のある攻撃ならびに仕事場環境において生じ得る偶発的な災難に耐えるために弾性材料で作られている。好適な材料としては、例えばアルミニウムやプラスチックなどが挙げられる。
【００２０】
１つ以上の実施形態では、保護ハウジングは固定物の適所に固定されるように構成されている。一構成では、保護ハウジングは、ネジまたはボルトなどの対応する留め具をそこに挿入してハウジングを壁、柱、軒または日よけなどの固定物に固定することができる複数の開口部を備える。別の構成では、保護ハウジングは、保護ハウジングを接着によって固定物に固定するために接着剤を塗布することができる１つ以上の実質的に平坦な領域を含む。接着剤は例えば両面接着テープであってもよい。他の実施形態では、保護ハウジングは平坦な表面の上に配置されるように構成されていてもよい。
【００２１】
一構成では、所望の視野および特定の位置のための範囲を得るため、および／または所望の視野に垂直および／または平行でない表面を補うために、１つ以上のパッキング部材が保護ハウジングと固定物との間または保護ハウジングの下面と本監視装置が配置される表面との間に配置されてもよい。
【００２２】
本監視装置は、電池、主電源もしくは外部ＤＣ電源への接続またはそれらの組み合わせのうちの１つ以上の形態で実装することができる電源を備える。一構成では、電源は４つのＡＡ電池を含む。特定の一実施形態では、４つのＡＡ電池は約１２ヶ月の動作寿命を提供する。本監視装置はリモートサーバと通信するための無線送受信機も備える。
【００２３】
一構成では、無線送受信機は、限定されるものではないが、３Ｇ、４Ｇ、Ｗｉ−Ｆｉ、ブルートゥース、ＬＴＥあるいはＬＴＥ−ＭＴＣ、ＬｏＲａ、ＮａｒｒｏｗＢａｎｄ  ＩｏＴ、６ＬｏｗＰＡＮまたはＳｉｇｆｏｘなどの低電力ワイドエリアネットワーク（ＬＰＷＡＮ）技術などの任意の好適な無線伝送プロトコルを用いて実装される。一構成では、無線伝送プロトコルは、例えばＩＥＥＥ８０２規格などの１つ以上のＩＥＥＥ技術規格に対応している。特に、無線伝送プロトコルは、無線ローカルエリアネットワーク（ＷＬＡＮ）のためのＩＥＥＥ８０２．１１規格または低速無線パーソナルエリアネットワーク（ＬＲ−ＷＰＡＮ）のためのＩＥＥＥ８０２．１５．４規格のうちの１つに対応していてもよい。
【００２４】
無線送受信機は、保護ハウジングの内部または保護ハウジングの外部のうちのいずれかに設置することができるアンテナに接続されている。一構成は、アンテナが切断された場合にタンパースイッチが警報を発するように、タンパースイッチに接続された外部アンテナを利用している。そのような警報は、点滅光などの視覚警報、サイレンなどの音響警報、電子メッセージまたはそれらの任意の組み合わせであってもよい。
【００２５】
いくつかの構成では、本監視装置の無線送受信機は、中継の無線（ＲＦ）ゲートウェイを介してリモートサーバと通信する。そのようなＲＦゲートウェイは、好適には本監視装置から無線通信を受信してそれらの通信を専用の伝送線路および／またはインターネットなどの有線もしくは無線通信経路またはそれらの任意の組み合わせを用いて実装されてもよい通信リンクを介してリモートサーバに転送するように構成されている。特定の一構成では、ＲＦゲートウェイは、サブ１ＧＨｚ伝送帯域のＩＥＥＥ  ８０１．１５．４ｅ／ｇに基づくスター型トポロジネットワーキングソリューションを提供するために、ＴＩ  １５．４−ＳｔａｃｋソフトウェアをサポートするＣＣ１３ｘ０無線マイクロコントローラユニットなどのＴｅｘａｓ  Ｉｎｓｔｒｕｍｅｎｔｓ（ＴＩ）社製無線マイクロコントローラを用いて実装される。
【００２６】
一構成では、本監視装置は、３０分ごとなどの所定の間隔で無線送受信機を介して健康チェックメッセージをリモートサーバに送信する。リモートサーバが前記所定の間隔を超えた時間間隔に健康チェックメッセージを受信しない場合に、リモートサーバは警報を発する。この例では、そのような警報は、前記リモートサーバまたは前記リモートサーバに関連するウェブサイト上で実行されるアプリケーションのグラフィカルユーザインタフェースのコントロールパネルまたはダッシュボード上に表示され得るようなオペレータに送信される警報メッセージであってもよい。あるいは、その警報は、Ｅメール、ショートメッセージサービス（ＳＭＳ）テキストメッセージ、マルチメディアメッセージサービス（ＭＭＳ）、チャットメッセージ、コンピュータ装置上で実行されるソフトウェアアプリケーション（「ａｐｐ」）上でのメッセージなどの電子メッセージであってもよい。そのような電子メッセージをリモートサーバからのプッシュ通知と呼ぶ場合もある。実施形態に応じて、電子メッセージは警報が発せられた時間を示すタイムスタンプを含んでもよい。電子メッセージは、警報に関連する監視装置のシリアルナンバに対応する識別子、当該監視装置に関連するユーザまたは位置あるいはそれらの任意の組み合わせも含んでいてもよい。コンピュータ装置は例えば、限定されるものではないが、サーバ、パーソナルコンピュータ、ラップトップコンピュータ、スマートフォン、タブレットコンピュータ装置、ファブレットコンピュータ装置などであってもよい。
【００２７】
一構成では、ユーザは、所定の数の見逃された健康チェックメッセージ後に警報メッセージを送信するようにリモートサーバを構成することができる。上記デフォルトの設定では、１つの健康チェックメッセージが見逃されるとすぐに警報が送信される。他の設定では、ユーザは、例えば２つまたは３つの健康チェックメッセージが見逃された後に警報を発するようにリモートサーバを構成してもよい。そのような構成は、悪天候条件などにより生じる送信の失敗の場合に不必要に警報が発せられるのを防止する。
【００２８】
同様に、本監視装置は、本監視装置の１つ以上のトリガーが起動されるとすぐにリモートサーバに警報通知を伝送するように構成されている。一構成では、本監視装置は、ＰＩＲセンサモジュール、光センサ、マイクロホン、加速度計またはそれらの任意の組み合わせに関するトリガーのセットを含む。トリガーが起動されると、本監視装置はリモートサーバに警報通知を送信し、その後すぐにリモートサーバは警報を発する。この例では、そのような警報は、前記リモートサーバまたは前記リモートサーバに関連するウェブサイト上で実行されるアプリケーションのグラフィカルユーザインタフェースのコントロールパネルまたはダッシュボード上に表示され得るようなオペレータに送信される警報メッセージであってもよい。あるいは、その警報は、Ｅメール、ショートメッセージサービス（ＳＭＳ）テキストメッセージ、マルチメディアメッセージサービス（ＭＭＳ）、チャットメッセージ、コンピュータ装置上で実行されるソフトウェアアプリケーション（「ａｐｐ」）上のメッセージなどの電子メッセージであってもよい。
【００２９】
図１は、保護ハウジング１１０と、フレネルレンズ１２０と、ハウジング１１０を固定物に固定するための対応する複数のネジ１３５を受け入れるための複数の固定開口部１３０とを有する監視装置１００の正面図である。監視装置１００は、ノイズを検出するための任意のマイクロホン１４０および任意のライト１５０も備える。ライト１５０は１つ以上の発光ダイオード（ＬＥＤ）を用いて実装されてもよく、それを使用して監視装置１００の動作状況の表示を提供してもよい。また、ライト１５０を使用して点滅などにより警報を発してもよい。さらに、ライト１５０には監視装置１００を取り囲む環境における周辺光レベルの変化を検出するための光センサが組み込まれていてもよい。
【００３０】
図２および図３はそれぞれ、監視装置１００の左および右側面図である。図４は監視装置１００の斜視図である。図２〜図４から、監視装置１００のこの実施形態は、実質的に垂直な背面パネル１７０に対して角度を有して傾斜した前面パネル１６０を有することが容易に分かる。背面パネル１７０に対する前面パネル１６０の傾斜は、監視装置１００が高い位置において垂直な向きに固定物に固定された場合に監視装置１００の視野を地面に向かって方向づける。一構成では、前面パネル１６０はフレネル型レンズの場合には１０°〜２０°、好ましくは１２°〜１４°の角度で傾斜している。
【００３１】
図２〜４の例は、本監視装置のためのハウジングの１つの実例であり、本開示の趣旨および範囲から逸脱することなく他のハウジング構成を同等に実施できることが当業者によって理解されるであろう。特に本監視装置を例えば、壁、天井、梁、塔、柱および足場などの異なる表面および／または異なる位置に設置する場合、特に異なる背面パネルを有する異なるハウジング形状を使用してもよい。さらに、他のハウジング形状が監視装置１００をテーブルまたは棚などの平坦な表面に配置するのに適している場合がある。そのようなハウジング形状は平坦な背面パネルを有していても有していなくてもよく、壁または他の固定物に固定するのに適していても適していなくてもよい。
【００３２】
意図された用途に応じて、監視装置１００は固定もしくは調整可能な視野を有するレンズを有していてもよい。監視装置１００をテーブルなどの上に配置することを目的とした用途では、当該レンズは実質的に水平の視野を提供するように構成されていてもよい。監視装置１００を壁などの比較的高い見晴らしの良い地点に配置する他の用途では、当該レンズは、ハウジング内のレンズの位置決めまたはハウジングの形状のいずれかあるいはそれらの組み合わせにより下方への視野を含むように構成されていてもよい。一構成では、監視装置１００はレンズの視野を変更するための調整手段を備える。そのような調整手段としては例えば、レンズの位置決めを調整して所望の視野を達成するためにユーザが移動させることできるレバーまたはダイアルなどが挙げられる。
【００３３】
図５は、本実施形態の各種構成要素を示す監視装置１００の分解図である。本実施形態では、保護ハウジング１１０は、レンズ５１５を受け入れるための開口部５０７を有する前部５０５を備える。留め具１３５は前部５０５の開口部を通って監視装置１００を固定物に固定する。
【００３４】
監視装置１００は、レンズハウジング５３０内のレンズ５１５の後ろに設置されるＰＩＲセンサ５２０も備える。ＰＩＲセンサ５２０は、前部５０５およびレンズ５１５とレンズハウジング５３０との間に設置されるレンズガスケット５２５によってこれらの要素から保護されている。レンズガスケット５２５は、当業者によって理解されるような例えばゴムもしくはシリコン管などを用いて実装されていてもよい。レンズハウジング５３０は、電源５３６を備えるプリント回路基板５３５に接続している。プリント回路基板５３５は、この例では単一のＬＥＤを用いて実装されるライト５３７も備える。プリント回路基板５３５は任意に、音響警報を発するためのブザー／サイレンを備える。一実施形態では、ブザー／サイレンはプリント回路基板５３５の後側に設置されており、後部５１０はそこを通してブザー／サイレンが音を発することができる対応する開口部を有する。この開口部は水分の侵入を防止するために、例えばゴアテックスステッカー（Ｇｏｒｅｔｅｘ  ｓｔｉｃｋｅｒ）などのメンブレンによって覆われていてもよい。
【００３５】
プリント回路基板５３５は、監視装置１００およびＳｉｇｆｏｘ送受信機などの無線送受信機の動作を制御するためのマイクロプロセッサ（マイクロコントローラ）をさらに備える。図５の例では、プリント回路基板５３５は、無線信号をＳｉｇｆｏｘ送受信機から／に送受信するための内部アンテナも備える。
【００３６】
一構成では、プリント回路基板５３５は、ＰＩＲセンサ５２０が起動された回数および／または任意のマイクロホンが起動された回数および／または監視装置１００に関連する１つ以上のセンサのセットの全ての起動の総計を維持するカウンタをさらに備える。一実施形態では、カウンタはマイクロコントローラと一体化されている。他の実装では、カウンタはマイクロコントローラの外部にある。さらなる構成では、カウンタはリモートサーバ上に実装される。実施形態に応じて、当該カウンタまたはマイクロコントローラはタイムスタンプを各起動と対応づけて、起動（すなわち「イベント」）のログを生成してもよい。
【００３７】
一構成では、ＰＩＲセンサ５２０は、動きを検出することによりＰＩＲセンサが起動された回数をカウントするカウンタを備える。そのカウントはマイクロコントローラがリモートサーバに伝送するために、定期的な間隔でマイクロコントローラに提供される。次いで、マイクロコントローラはＰＩＲセンサ５２０のカウンタをゼロのカウントにリセットする。
【００３８】
図５の例は、プリント回路基板５３５を前部５０５に固定し、このようにしてプリント回路基板５３５と前部５０５との間に位置するレンズ５２５、ＰＩＲセンサ５２０、レンズガスケット５２５およびレンズハウジング５３０のそれぞれも固定するための保持ネジ５４０のセットを示す。保持ネジ５４０は、前部５０５の中に成形されたねじ穴などの対応する開口部に係合するように構成されている。
【００３９】
プリント回路基板５３５が位置している監視装置１００の内部空洞に埃や水分が侵入するのを防止または減少させるのを助けるために、ハウジングガスケット５４５は前部５０５と後部５１０との間に設置されている。ハウジングガスケット５４５はゴムもしくはシリコン製のストリップまたは管を用いて実装されてもよい。複数の留め具５１２は後部５１０を前部５０５に固定するために使用される。
【００４０】
前部５０５の後側は好ましくは後部５１０の最後面を超えて延在しており、このようにして前部５０５の最後面の１つ以上の部分を監視装置１００が取り付けられる固定物に確実に当接させると共に、確実に後部を固定物に接触させないようにする。従って、固定物の表面に沿って移動する少しの水も後部５１０とは接触せず、このようにして封入されたプリント回路基板５３５を乾燥した状態に維持するのを助ける。
【００４１】
図６は監視装置１００の上面図であり、図７は監視装置１００の背面図である。図７は、監視装置１００を固定物に固定するための両面接着テープなどの接着剤を塗布することができる実質的に平坦な部分７１０を示す。接着剤は単独で使用しても留め具１３５と組み合わせて使用してもよい。同様に、どんな接着剤の助けも借りずに、ネジ１３５を使用して監視装置１００を固定物に固定してもよい。図７は、監視装置１００の背後に通り道を発見するあらゆる水分がそこを通り抜け、このようにして捕捉されないようにすることができる監視装置１００の基部にある任意の切り欠き領域７５０を示す。
【００４２】
図８は、Ａ−Ａ軸に沿った図１の監視装置１００の断面図である。図８は特にレンズ５１５、ライト５３７、４つのＡＡ電池５３６として実装される電源、および監視装置１００を固定物に固定するための留め具１３５を示す。ライト１５０を参照しながら上で説明したように、ライト５３７は任意に、監視装置１００を取り囲む環境における周辺光レベルの変化を検出するための光センサを備える。
【００４３】
図９は、図１の監視装置１００の機能モジュールの概略ブロック図である。監視装置１００は、４つのＡＡ電池の形態の電源５３６を備える。図９の例では、監視装置１００は、主電源またはＤＣ電源などから外部電力を提供するように構成されている任意の外部電源を備える。任意の外部電力供給は電圧調整器９４０によって受け取られ、電圧調整器９４０は調整された電力を自動電力選択装置９４５に提供する。自動電力選択装置は監視装置１００で使用するために、電池５３６からの電力または電圧調整器９４０を介した外部電力を選択する。
【００４４】
監視装置１００は、フレネルレンズ５１５とマイクロプロセッサ９１０に接続されたＰＩＲセンサ５２０とを備える。マイクロプロセッサ９１０は、ユーザによって構成することができるフレキシブルな動き検出を提供するアプリケーションソフトウェアを実行する。当然のことながら、他のＰＩＲセンサおよびＰＩＲセンサの実装を同等に利用してもよい。
【００４５】
電源５３６は、本実施形態では一体化されたサブ１ＧＨｚのＲＦ送受信機を備えたマイクロコントローラを用いて実装されるマイクロコントローラ９２０に接続している。本実施形態では、マイクロコントローラ９２０は一体化された無線送受信機を備える。他の実施形態では、別個の無線送受信機を使用してもよい。さらに、本実施形態と同様に、マイクロコントローラ９２０の一体化された無線送受信機には動作範囲を増加させるために外部無線送受信機９６０が追加されていてもよい。
【００４６】
マイクロコントローラ９２０は、ＰＩＲセンサ５２０から情報を受け取ってＰＩＲセンサ５２０が物体を検出したときを示す。図９の実施形態では、マイクロコントローラ９２０は、１つ以上のステータスＬＥＤ９２２のセット、ブザー９２４、加速度計９２６、温度センサ９２８、光センサ９３０、ＥＵＩ  ＥＥＰＲＯＭ９３２、フラッシュメモリ９３４、タンパースイッチ９３６およびマイクロエレクトロメカニカルシステム（ＭＥＭＳ：ｍｉｃｒｏ−ｅｌｅｃｔｒｏｍｅｃｈａｎｉｃａｌ  ｓｙｓｔｅｍｓ）マイクロホンなどのマイクロホン９３８にも接続されている。
【００４７】
マイクロコントローラ９２０は、任意の昇圧ＤＣ−ＤＣコンバータ９５０から入力を受け取る電力およびデータバス分配バッファ９５５にも接続されている。昇圧ＤＣ−ＤＣコンバータ９５０は、センサ装置９２２…９３８などの１つ以上の周辺装置を動作させるためにさらなる電力を提供する。特に、昇圧ＤＣ−ＤＣコンバータ９５０は電池５３６からの電力が低下した際に一定のＤＣ電圧を維持する。電力およびデータ分配バッファ９５５は無線送受信機９６０、ＧＰＳ  ＬＮＡモジュール９６５およびブルートゥース低エネルギー（ＬＥ）モジュール９７０のそれぞれにも接続されている。さらに、電力およびデータバス分配バッファ９５５は、デバッグおよびプログラミングインタフェースモジュール９７５に接続している。デバッグおよびプログラミングインタフェースモジュール９７５によりファームウェアの更新および構成の変更などのソフトウェアのアップロードが可能になる。無線送受信機は例えば無線（ＲＦ）前置電力増幅器（ＰＡ）または低雑音増幅器（ＬＮＡ）を用いて実装されていてもよく、例えば９１５ＭＨｚで動作してもよい。無線送受信機９６０は、例えば３Ｇ、４Ｇ、Ｗｉ−Ｆｉ、ブルートゥース、ＬＴＥあるいはＬＴＥ−ＭＴＣ、ＬｏＲａ、ＮａｒｒｏｗＢａｎｄ  ＩｏＴ、６ＬｏｗＰＡＮまたはＳｉｇｆｏｘなどの低電力ワイドエリアネットワーク（ＬＰＷＡＮ）技術のうちの１つを用いて実装されていてもよい。
【００４８】
加速度計９２６は、監視装置１００に加えられる衝撃を検出するための３軸加速度計を用いて実装されていてもよい。一構成では、加速度計９２６はＳＴ−Ｍｉｃｒｏｅｌｅｃｔｒｏｎｉｃｓ社製のＬＩＳ２ＤＨを用いて実装される。所定の衝撃閾値を超える衝撃を検出するとすぐに加速度計９２６は、警報信号を無線送受信機９６０を介してリモートサーバに伝送することができるように、衝撃信号をマイクロコントローラ９２０に伝送する。
【００４９】
マイクロホン９３８は、監視装置１００のすぐ近くのノイズを検出するように構成されている。マイクロホン９３８は、前置ゲインおよびフィルタ段階を有するオンボードマイクロホンを含んでもよい。一構成では、マイクロホン９３８はマイクロコントローラ９２０のアナログ／デジタル変換（ＡＤＣ）入力ポートに接続されている。マイクロコントローラ９２０が、所定の音声署名に対応している所定の音声閾値を超えていたり、背景音レベルからの変化を示したり、あるいはガラスの破壊、物体の落下または無理な侵入を示したりする音声信号をマイクロホン９３８から受信した場合に、マイクロコントローラ９２０は無線送受信機９６０を介してリモートサーバに伝送するための警報信号を生成する。一実施形態では、受信された音声信号が所定の閾値を超えているかそれに満たないか否かまたは所定の範囲内にあるか否かを決定するために、マイクロホン９３８によって受信された音声信号に対して１つ以上のフィルタがかけられる。このフィルタは周波数、振幅またはそれらの組み合わせに関するものであってもよい。
【００５０】
所定の音声署名は、例えば所定の音声トーンまたは一連のトーンに対応してもよい。そのようなトーンは、製造時に監視装置１００の中にプログラムされていてもよく、あるいは現場で学習させてファームウェアに格納されてもよい。一構成では、所定の音声署名は、ユーザによって起動された場合に警報トーンを発する個人用警報装置に対応している。一実施形態では、ユーザは監視装置１００の学習モードを起動させ、次いで個人用警報装置を起動させ、その後すぐに個人用警報装置によって発せられた警報トーンがマイクロホン９３８によって受信されて監視装置１００のフラッシュメモリに格納される。マイクロコントローラ９２０がマイクロホン９３８から音声信号を受信するとすぐに、マイクロコントローラ９２０は受信された音声信号をフラッシュメモリに格納されている１つ以上の音声署名と比較し、マイクロコントローラ９２０が受信された音声信号と格納されている音声署名との一致を確認した場合に警報信号を生成する。
【００５１】
一構成では、マイクロコントローラ９２０は、マイクロホン９３８が例えば８０〜８５デシベルを超える音声信号を受信した場合にイベントを記録するように構成されている。イベントを記録することにより、マイクロコントローラ９２０と一体化されているオンボードカウンタであってもマイクロコントローラ９２０の外部にあってもよいカウンタの数値を加算することができる。上記のとおり、カウンタまたはマイクロコントローラ９２０はタイムスタンプを各イベントと対応づけしてもよい。そのような実施形態では、監視装置１００がイベントのログを格納する。あるいは、リモートサーバが１つ以上の監視装置１００のセットから受け取った警報に基づきイベントのログを格納する。
【００５２】
一実施形態では、マイクロコントローラ９２０は、マイクロコントローラ９２０が所定の期間内で所定の音声閾値を超える所定の数の音声信号を検出した時点でマイクロコントローラ９２０が警報を発するように、ソフトウェアおよび／またはファームウェアによって制御されている。一例では、この警報は所定の期間内で所定の周波数および振幅に対応する音声信号を検出することに対応する。１つの特定の例では、音声信号は、３０秒以内に８０ｄｂの騒音レベルを超える人間の手による３回の拍手に対応する。所定の音声レベルは、監視装置１００を目的の地点または領域からどのくらい遠くに設置するかに応じて調整してもよい。
【００５３】
一構成では、マイクロコントローラ９２０は、動きの検出または音声トリガーのいずれかにより生じた起動に対応する警報を送信し、その後すぐに警報を受け取るリモートサーバは警報の数をカウントするカウンタの数値を加算する。
【００５４】
一構成では、ＰＩＲセンサ５２０はカウンタを備え、ＰＩＲセンサ５２０は現在のカウントをカウンタからマイクロコントローラ９２０に定期的に伝送する。次いで、マイクロコントローラ９２０は、定期的なカウントを一体化された無線送受信機または外部アンテナ９６０またはブルートゥースモジュール９７０を介して伝送する。マイクロコントローラ９２０は、ＰＩＲセンサが次の期間のために動きによる起動数をカウントすることができるように、ＰＩＲセンサ５２０上のカウンタをゼロにリセットする。
【００５５】
光センサ９３０は、監視装置１００の動作位置を取り囲む環境における周辺光レベルを検出する。マイクロコントローラ９２０は、光センサ９３０による光の読み取りに基づいて夜と昼とを識別する。マイクロコントローラ９２０は任意に、夜間に不法侵入者のヘッドライトまたはトーチから生じ得るような光の存在を検出する。次いで、マイクロコントローラ９２０は警報メッセージを発することができる。さらに、光センサ９３０は任意に、監視装置１００の視野を遮断する（すなわち「マスクする」）ために監視装置１００の近くに配置された物体の存在を検出するアンチマスキングセンサ（ａｎｔｉ−ｍａｓｋ  ｓｅｎｓｏｒ）を備えるかアンチマスキングセンサとして実装される。そのような物体の検出は、監視装置１００を無効にするという悪意に関連している場合が多いため、アンチマスキングセンサはそのような状況下で警報を生成するために使用される。
【００５６】
任意の温度センサ９２８は、監視装置１００が設置されている局所環境の周囲温度を測定する。温度が所定の動作範囲外であった場合に、マイクロコントローラ９２０は警報信号を発する。
【００５７】
任意のＧＰＳモジュール９６５により、マイクロコントローラ９２０は監視装置１００に関する地理的位置更新をリモートサーバに送信することができる。
【００５８】
ブルートゥースＬＥモジュール９７０は、監視装置１００の設定を監視および更新するためにオンサイトアクセスを提供するための短距離無線通信インタフェースを提供する。一構成では、監視装置１００は、押下されると監視装置１００の範囲内でブルートゥースが使用可能な装置とのペアを探すペアリングスイッチを備える。
【００５９】
ＥＵＩ  ＥＥＰＲＯＭ９３２は、監視装置１００のための構成パラメータを格納している。さらに、ＥＵＩ  ＥＥＰＲＯＭ９３２および／またはフラッシュメモリ９３４を使用して、マイクロコントローラ９２０によって生成されたイベントログを格納することができる。
【００６０】
一構成では、電力およびデータバス分配バッファ９５５は任意に、モジュールスタック（Ｍｏｄｕｌａｒ  Ｓｔａｃｋ）（ＭＳ）Ｓｉｇｆｏｘ送受信機などの１つ以上の任意のＭＳ外部モジュール９８５への接続のためのＭＳコネクタインタフェースモジュール９８０に接続している。
【００６１】
使用中に、本装置が使用される位置に設置されるとタンパースイッチ９３６が起動される。一構成では、後部５１０の閉鎖によりスイッチが押下され、タンパースイッチ９３６が起動される。タンパースイッチ９３６は、タンパー行為が検出された場合にブザー９２４を起動させる。また、タンパースイッチ９３６はタンパー行為を検出するとすぐにマイクロコントローラ９２０にタンパー行為信号を送信して、無線送受信機９６０を介してリモートサーバに警報信号を伝送してもよい。
【００６２】
一構成では、ステータスＬＥＤ９２２は、
・ＰＩＲセンサ５２０のステータスを示す動きステータスＬＥＤ、
・一般的なシステムステータスを示すシステムステータスＬＥＤ、
・無線通信リンクのステータスを示す通信ＬＥＤ、および
・任意の外部ＭＳ装置９８５のステータスを示すＭＳ  ＬＥＤ
のうちの１つ以上を含む。
【００６３】
一構成では、監視装置１００は以下の２つの動作モード：
（ｉ）アームドモード（準備完了モード）、および
（ｉｉ）オフモード
を有する。
【００６４】
さらに、監視装置１００は常にハートビートモードで動作する。
【００６５】
アームドモードは、監視装置１００がＰＩＲセンサ５２０、加速度計９２６、温度センサ９２８、光センサ９３０およびタンパースイッチ９３６などのセンサのうちの１つ以上によってトリガーされるイベントを検出するように設定されている正常な動作モードである。
【００６６】
一構成では、監視装置１００は、２秒間などの所定の期間にわたって生じる低頻度動きイベントのセットである有効な動きイベントのＰＩＲセンサ５２０による検出時に警報メッセージを生成する。有効な動きイベントの検出時に、ＰＩＲセンサ５２０はマイクロコントローラ９２０を低電力モードから復帰させ、その後すぐにマイクロコントローラ９２０は任意に１つ以上の周辺装置から読み込みを行う。
【００６７】
以下の表１は、例えばＰＩＲセンサ５２０、加速度計９２６、温度センサ９２８、光センサ９３０またはタンパースイッチ９３６などの監視装置１００内のセンサのうちの１つ以上によってマイクロコントローラ９２０が復帰されるとすぐに行われる動作のサンプルリストを提供する。
【表１】
2019533266.tif 000003
【００６８】
オフ動作モードは監視装置１００を低電力動作モードに設定し、このモードではＰＩＲセンサ５２０による動きスキャンは無効になっている。オフモード中は、マイクロホン９３８、光センサ９３０およびタンパースイッチ９３６などの他のセンサはイベントの検出時にマイクロコントローラ９２０を復帰させることができる。
【００６９】
上述のように、監視装置１００は常にハートビートモードで動作し、そのモードでは、マイクロコントローラ９２０がリモートサーバに対してハートビートメッセージを生成することができるように、プリント回路基板５３５上のリアルタイムクロック（ＲＴＣ）はマイクロコントローラ９２０を定期的に復帰させる。
【００７０】
オンボードクロックの存在により、ユーザは監視装置１００を１つ以上の所定のスケジュールに従ってアームドモードであるように構成することができる。例えば、ユーザは監視装置１００を平日は６ｐｍ〜６ａｍ、週末は２４時間にわたってアームドモードであるように構成してもよい。動作スケジュールは予め構成されているかユーザにより選択可能であるかそれらの組み合わせであってもよい。
【００７１】
図１０は、任意の第１のパッキングプレート１０１０と共に保護ハウジング１１０を有する監視装置１００を表す概略ブロック図である。図１０の例では、第１のパッキングプレート１０１０はハウジング１１０の左下領域とハウジングが固定される固定物（図示せず）との間に配置される。対応する第２のパッキングプレート（図示せず）はハウジング１１０の右下領域と固定物との間に配置され、従って、第１および第２のパッキングプレートはハウジング１１０の底部をハウジング１１０の上部よりも固定物から離して設置する。この例では、留め具１３５をハウジングの開口部１３０およびパッキングプレート開口部１０１５に通して第１のパッキングプレート１０１０を適所に固定することができるように、各パッキングプレート１０１０はパッキングプレート開口部１０１５を有する。
【００７２】
当然のことながら、監視装置１００を固定物に対して所望の角度で設置するために、パッキングプレートの任意の組み合わせをハウジング１１０と固定物との間に配置してもよい。さらに、異なる厚さのパッキングプレートを利用してもよい。パッキングプレートをハウジング１１０の底部、上部または縁部あるいはそれらの任意の組み合わせに配置してもよい。
【００７３】
図１１は、監視装置１００の背面の周りでの水の流れを示す概略ブロック図である。この例では、水１１００の流れは監視装置１００の上から流れる。本監視装置の背面と監視装置１００が固定される固定物との間を通る全ての水が前部５０５と後部５１０との間に形成された溝に沿って流れる。次いで水１１００は、水１１００が監視装置１００と固定物との間に保持されるのを防止する切り欠き領域７５０を通って流れる。
【００７４】
図１２は、監視装置１００の前面の周りでの水の流れを示す概略ブロック図である。図１２の例では、監視装置１００の前部５０５はその表面に水を保持しないように成形されている。前部５０５の上部に入射する水１２１０は、その上部を横切って流れて、前部５０５の前縁１２０５から自由に落下する。
【００７５】
図１３は、６ＬｏｗＰＡＮ信号プロトコルを用いる監視装置のセット１３１０…１３６０を用いて実装されたシステム１３００を表す概略ブロック図である。監視装置１３１０…１３６０のそれぞれが６ＬｏｗＰＡＮ送受信機を備え、かつ他の監視装置１３１０…１３６０のうちの１つ以上と通信することができる。これにより複数の監視装置をデイジーチェーン方式で接続することができる。
【００７６】
図１３の例では、システム１３００は、顧客ルータ１３８０に接続され、次いでこれがインターネットなどの通信ネットワークを介して管理サーバ１３９０に接続されている６ＬｏｗＰＡＮ制御装置１３７０を備える。６ＬｏｗＰＡＮ制御装置１３７０は、限定されるものではないが、ローカルエリアネットワーク（ＬＡＮ）、ワイドエリアネットワーク（ＷＡＮ）、仮想私設網（ＶＰＮ）、携帯電話ネットワーク、インターネットまたはそれらの任意の組み合わせなどの１つ以上の有線もしくは無線通信リンクを介してルータ１３８０に接続されていてもよい。単純な実施形態では、制御装置１３７０はサーバ１３９０の近位に位置し、かつ直接通信リンクを介して接続されており、この場合、顧客ルータ１３８０およびインターネット接続は必要でない場合もある。
【００７７】
図１３の例では、監視装置１３３０は監視装置１３２０と通信し、次いでこれが監視装置１３１０と通信する。監視装置１３０１は監視装置１３４０と通信し、次いでこれが６ＬｏｗＰＡＮ制御装置１３７０と通信する。同様に、監視装置１３５０および１３６０のそれぞれが６ＬｏｗＰＡＮ制御装置１３７０と直接通信する。
【００７８】
監視装置１３１０…１３６０と制御装置１３７０との通信が６ＬｏｗＰＡＮ無線信号接続を介するものとして図示されているが、通信はイーサネットなどの有線接続または有線および無線接続の組み合わせにより同等に行ってもよい。
【００７９】
監視装置１３１０…１３６０は、それらのそれぞれの視野または動作範囲内で活動を検出する。監視装置１３１０…１３６０のそれぞれが、定期的なハートビートメッセージを制御装置１３７０およびルータ１３８０を介して管理サーバ１３９０に送信する。一実施形態では、ユーザは、インターネットに接続されたコンピュータ装置を介して管理サーバ１３９０にアクセスして、監視装置１３１０…１３６０から得られたデータを見ることができ、かつ／または監視装置１３１０…１３６０のうちの１つ以上の動作パラメータを構成することができる。代わりまたは追加として、ユーザはブルートゥースまたはＷｉ−Ｆｉ接続を有するコンピュータ装置を使用して各監視装置１３１０…１３６０と通信してパラメータ設定を構成する。
【００８０】
トリガー条件を検出するとすぐに、監視装置１３１０…１３６０は、制御装置１３７０およびルータ１３８０を介して警報メッセージを管理サーバ１３９０に送信する。管理サーバ１３９０は、サーバ１３９０またはサーバ１３９０に関連するコンピュータ装置上で実行されるアプリケーションに関連するグラフィカルユーザインタフェース上で、電子メッセージを送信したり、視覚および／または音響警報を発したりなどして警報を生成する。
【００８１】
図１４は、Ｓｉｇｆｏｘ信号プロトコルを用いる監視装置のセット１４１０…１４３０を用いて実装されたシステム１４００を表す概略ブロック図である。この例では、第１および第２の監視装置１４１０、１４２０は第１のＳｉｇｆｏｘ基地局１４４０のＳｉｇｆｏｘ伝送範囲内に設置されている。第３の監視装置１４３０は、第２のＳｉｇｆｏｘ基地局１４５０のＳｉｇｆｏｘ伝送範囲内に設置されている。第１のＳｉｇｆｏｘ基地局１４４０および第２のＳｉｇｆｏｘ基地局１４５０は、Ｓｉｇｆｏｘサーバに接続されており、次いでこれはインターネットを介して管理サーバ１４７０と通信する。
【００８２】
監視装置１４１０、１４２０、１４３０は、それらのそれぞれの視野または動作範囲内で活動を検出する。監視装置１４１０、１４２０、１４３０のそれぞれが定期的なハートビートメッセージをそれぞれの基地局１４４０、１４５０およびＳｉｇｆｏｘサーバ１４６０を介して管理サーバ１４７０に送信する。一実施形態では、ユーザは、インターネットに接続されたコンピュータ装置を介して管理サーバ１４７０にアクセスして、監視装置１４１０、１４２０、１４３０から得られたデータを見ることができ、かつ／または監視装置１４１０、１４２０、１４３０のうちの１つ以上の動作パラメータを構成することができる。代わりまたは追加として、ユーザはブルートゥースまたはＷｉ−Ｆｉ接続を有するコンピュータ装置を使用して、監視装置１４１０、１４２０、１４３０と通信してパラメータ設定を構成する。
【００８３】
トリガー条件を検出するとすぐに、監視装置１４１０、１４２０、１４３０は、それぞれの基地局１４４０、１４５０およびＳｉｇｆｏｘサーバ１４６０を介して管理サーバ１４７０に警報メッセージを送信する。管理サーバ１４７０は、サーバ１４７０またはサーバ１４７０に関連するコンピュータ装置上で実行されるアプリケーションに関連するグラフィカルユーザインタフェース上で、電子メッセージを送信したり、視覚および／または音響警報を発したりなどして警報を生成する。
【００８４】
１つの用途は、監視される領域において不規則な活動を検出するための１つ以上の監視装置の使用に関する。一構成では、１つ以上の監視装置のセットは上記のように設けられており、各監視装置はＲＦゲートウェイとの通信のために無線送受信機を備える。このゲートウェイは、１つ以上の有線もしくは無線伝送媒体またはそれらの任意の組み合わせを含んでもよい通信リンクを介してリモートサーバに接続されている。
【００８５】
リモートサーバは規則的活動のスケジュールを格納している。スケジュールはその実施形態に応じて、初期設定または設置段階の間に構成された所定のスケジュールであってもよい。別の実施形態では、監視装置のセットに関連するユーザは、リモートサーバに関連するウェブサイトにアクセスしてスケジュールを定める。上記のように動きまたは音声信号を検出するとすぐに、監視装置は、ＲＦゲートウェイを介してリモートサーバにメッセージを送信する。リモートサーバは、メッセージを発した監視装置に関連する格納されたスケジュールに対して受信されたメッセージを処理し、警報を発するか否かを決定する。
【００８６】
図１５は、高齢のユーザの家に設置された監視装置のセットを用いて実装されたシステム１５００を表す概略ブロック図である。この例では、システム１５００は、家中の選択された位置に設置された監視装置１５１０、１５１５および１５２０のセットを備える。監視装置１５１０、１５１５、１５２０のそれぞれが、ＲＦゲートウェイ１５３０と通信するように構成された無線送受信機を用いて実装されている。ＲＦゲートウェイ１５３０は通信ネットワーク１５４０を介してリモートサーバ１５５０に接続されている。通信ネットワーク１５４０は、限定されるものではないが、ローカルエリアネットワーク（ＬＡＮ）、ワイドエリアネットワーク（ＷＡＮ）、仮想私設網（ＶＰＮ）、携帯電話ネットワーク、インターネットまたはそれらの任意の組み合わせなどの１つ以上の有線もしくは無線通信リンクを含んでもよい。
【００８７】
リモートサーバ１５５０は、顧客データベース１５５４と、処理モジュール１５５６と、警報モジュール１５５８とを備える。スケジュールデータベース１５５２、顧客データベース１５５４、処理モジュール１５５６および警報モジュール１５５８のそれぞれがバス１５６０または他の手段を介して互いに通信してもよい。
【００８８】
その実施形態および使用される無線通信プロトコルに応じて、ＲＦゲートウェイ１５３０は家またはその近くの位置に設置されていてもよい。一実施形態では、その伝送プロトコルは、１００メートルを超える範囲を有する低速無線パーソナルエリアネットワーク（ＬＲ−ＷＰＡＮ）のためのＩＥＥＥ８０２．１５．４規格に基づいている。特定の一実施形態では、家は退職者用の村（ｒｅｔｉｒｅｍｅｎｔ  ｖｉｌｌａｇｅ）にある大邸宅であり、ここではＲＦゲートウェイ１５３０は中心位置に設置されているため、ＲＦゲートウェイは、退職者用の村の中の複数の大邸宅の監視装置の複数のセットと無線通信をやり取りするように構成されている。
【００８９】
図１５の例では、リモートサーバ１５５０は、ユーザがこのサーバまたはコンピュータ装置上で実行可能なソフトウェアアプリケーション（「ａｐｐ」）あるいはそれらの組み合わせを用いて登録することができるウェブサイトと関連づけられている。登録されたユーザは、スマートフォン１５７０またはパーソナルコンピュータ１５７２などのコンピュータ装置を使用してウェブサイトまたはａｐｐにアクセスして、監視装置１５１０、１５１５および１５２０のそれぞれに関連する１つ以上の設定を構成することができる。
【００９０】
登録されたユーザは、通常の活動のスケジュールを定めたり通常の活動のデフォルトスケジュールを修正したりすることもできる。通常の活動のスケジュールは、リモートサーバ１５５０内のスケジュールデータベース１５５２に格納されており、登録されているユーザに関連し、かつ顧客データベース１５５４に格納されているユーザプロファイルに関連づけられている。通常の活動のスケジュールは、そのユーザから１日の中で特定のレベルの活動または不活動が予期される期間を定める。次いで、リモートサーバの処理モジュール１５５６上で実行されるソフトウェアは、通常の活動の格納されているスケジュールを使用して、監視装置１５１０、１５１５、１５２０のセットによって検出された活動または不活動のレベルに基づいて警報モジュール１５５８から警報を発するか否かを決定することができる。警報モジュール１５５８は警報を発し、この警報はネットワーク１５４０を介してユーザに関連するスマートフォン１５７０およびパーソナルコンピュータ１５７２の一方または両方に伝送される電子メッセージであってもよい。
【００９１】
図１６は、スマートフォンなどのモバイルコンピュータ装置上で実行されるリモートサーバ１５５０に関連するａｐｐのスクリーンショット１６００である。スクリーンショット１６００は、監視装置１５１０、１５１５、１５２０のうちの１つをモバイルコンピュータ装置とペアリングする方法をユーザに指示する。この例では、ユーザはブルートゥースペアリングモードを起動させるために本監視装置の後面パネルにあるボタンを押すように指示される。
【００９２】
図１７は、監視される家の中の１つ以上の部屋を選択するためのグラフィカルユーザインタフェースをユーザに提供するスクリーンショット１７００である。この例では、スクリーンショット１７００は、監視装置１５１０、１５１５、１５２０が設置されている位置に対応する居間、廊下および寝室という選択肢をユーザに与える。上記のように、監視装置１５１０、１５１５、１５２０のハウジング形状は、監視装置１５１０、１５１５、１５２０が設置される位置に応じて異なってもよい。
【００９３】
家という環境では、監視装置１５１０、１５１５、１５２０は壁、テーブル、棚の上または天井もしくは天井裏などに設置されることがある。用途に応じて監視装置１５１０、１５１５、１５２０は、部屋全体、玄関、入口または他の通路の視野を有するように設置されていてもよい。監視装置１５１０、１５１５、１５２０のうちの１つ以上は食器棚へのアクセスを検出するために食器棚の中に設置することもできる。
【００９４】
図１８は、１２ｐｍ〜４：３０ｐｍの範囲の期間にわたって台所で検出されるイベントのグラフを示すスクリーンショット１８００である。この例では、ａｐｐは３時間以内に複数の警告が存在する場合にリモートサーバ１５５０が警報を発するというリモートサーバ１５５０の現在の設定を反映している。構成されたスケジュールに応じて、警告は例えば真夜中の予期せぬ活動または７ａｍ〜１０ａｍの午前中に台所で活動が認められないなどの活動の欠如などの活動のレベルに対応していてもよい。午前中のゴールデンタイム（ｍｏｒｎｉｎｇ  ｐｅｒｉｏｄ）に台所で活動が認められないことは、ユーザが病気であり、かつ補助を必要としているという表示であってもよい。
【００９５】
図１９は、１２ｐｍ〜４：３０ｐｍの範囲の期間にわたって台所で検出されるイベントのグラフを示すスクリーンショット１９００である。この例では、ａｐｐは「一時停止」ボタンを備え、これによりユーザは、リモートサーバが検出される活動もしくは不活動のレベルに関連するあらゆる動作を行うことを停止することができる。例えば、ユーザが外出または留守し、そのためユーザの活動レベルが格納されている規則的活動のスケジュールから逸脱する場合、ユーザは監視装置１５１０、１５１５、１５２０に関連する監視を一時停止することができる。この監視はユーザの帰宅時にａｐｐまたはウェブブラウザを介して容易に再起動させることができる。
【００９６】
図２０および図２１はそれぞれ、特定の監視装置１５１０、１５１５、１５２０が設置されている位置において動きイベントが予期されるタイムスロットを作成することによってスケジュールすなわち規則的活動を構成するためのインタフェースをユーザに提供するスクリーンショット２０００、２１００である。ユーザは、スケジュールを構成するために曜日と次いで開始および終了時間によって定義される１つ以上の期間とを選択する。図２２は、週の様々な曜日を跨って定められるタイムスロットにより構成されたスケジュールを示すスクリーンショット２２００である。当然のことながら、スケジュールはユーザごとおよび監視装置１５１０、１５１５、１５２０が設置されている各位置により異なる。さらに、スケジュールはいつでも一時的もしくは永続的に変更する必要があってもよく、ウェブブラウザおよび／またはａｐｐによりユーザが意のままにスケジュールを変更および構成することができるようにしてもよい。
【００９７】
図２３は、ユーザがリモートサーバ１５５０上でユーザのプロファイルに関連するアカウント設定を構成することを可能にするスクリーンショット２３００である。この例では、アカウント設定としては、アクセスの制御、装置の制御、Ｅメールおよびプッシュ通知などの通知に関する設定ならびにユーザ設定が挙げられる。特定の実施形態やユーザアクセスレベルなどに応じて異なる設定を与えてもよい。
【００９８】
図２４は、ユーザが定めらえたスケジュールに関連する感度指定（ｓｅｎｓｉｔｉｖｉｔｙ  ｒａｔｉｎｇ）を構成することができるａｐｐインタフェースを示すスクリーンショット２４００である。この例では、ユーザは検出される動きイベントの回数の上限および下限を設定することができる。この具体例では、ユーザは、活動期間中に最大で２５回の動きイベントおよび最小で１５回の動きイベントを有する範囲を選択する。その結果、活動期間中に１５回よりも少ない動きイベントまたは２５回よりも多い動きイベントが検出された場合に警報が発せられる。
【００９９】
図２５は、ユーザがハンドルをドラッグして活動範囲を定めることができるグラフィカルユーザインタフェースを示すスクリーンショット２５００である。図２６は、装置ロック画面に示されるプッシュ通知の形態の警報メッセージを示すスクリーンショット２６００である。この例では、警報メッセージはユーザにフレディーの台所における警報を伝える。図２７は、センサにユーザの祖母に関連する部屋、すなわち台所、居間、寝室のうちの１つ以上を追加するインタフェースをユーザに提供するスクリーンショット２７００である。図２８は、この例で図示されているように、ユーザがユーザの祖母およびフランシスなどの１人以上のユーザに関する図１５のシステム１５００などの監視システムを管理することができるインタフェースを示すスクリーンショット２８０である。
【産業上の利用可能性】
【０１００】
記載されている構成は警備および監視産業に適用可能である。
【０１０１】
上記は本発明のいくつかの実施形態のみを説明しており、本発明の範囲および趣旨を逸脱することなくそれらに対して修正および／または変形が可能である。これらの実施形態は例示であって限定的なものではない。
【０１０２】
本明細書の文脈において、「〜を備える」という用語およびその関連する文法構造は、「主に〜を含むが必ずしもそれのみではない」または「〜を有する」または「〜を含む」を意味しており、「〜からのみなる」を意味しない。「〜を備え」および「〜を備えて」などの「〜を備える」という言葉の変形はそれに応じて変化する意味を有する。
【０１０３】
本明細書全体を通して使用されているように、共通もしくは関連する物体について記述するための「第１の」、「第２の」、「第３の」、「第４の」などの順序の形容詞の使用は、特に定めがない限りそれらの共通もしくは関連する物体の異なる例に対する言及を示し、そのように記載されている物体を時間的、空間的、順位付けまたは任意の他の方法のいずれかで、所与の順序または配列で設けたり設置したりしなければならないことを示すものではない。
【０１０４】
本発明について具体例を参照しながら説明してきたが、本発明は多くの他の形態で具体化することができることが当業者によって理解されるであろう。
【図１】
2019533266.tif 000004
【図２】
2019533266.tif 000005
【図３】
2019533266.tif 000006
【図４】
2019533266.tif 000007
【図５】
2019533266.tif 000008
【図６】
2019533266.tif 000009
【図７】
2019533266.tif 000010
【図８】
2019533266.tif 000011
【図９】
2019533266.tif 000012
【図１０】
2019533266.tif 000013
【図１１】
2019533266.tif 000014
【図１２】
2019533266.tif 000015
【図１３】
2019533266.tif 000016
【図１４】
2019533266.tif 000017
【図１５】
2019533266.tif 000018
【図１６】
2019533266.tif 000019
【図１７】
2019533266.tif 000020
【図１８】
2019533266.tif 000021
【図１９】
2019533266.tif 000022
【図２０】
2019533266.tif 000023
【図２１】
2019533266.tif 000024
【図２２】
2019533266.tif 000025
【図２３】
2019533266.tif 000026
【図２４】
2019533266.tif 000027
【図２５】
2019533266.tif 000028
【図２６】
2019533266.tif 000029
【図２７】
2019533266.tif 000030
【図２８】
2019533266.tif 000031
【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
監視装置であって、
保護ハウジングであって、前記ハウジングは、
受動赤外線（ＰＩＲ）センサと、
電源と、
マイクロコントローラと、
無線送受信機と、
を収容し、
前記電源は、前記ＰＩＲセンサ、前記マイクロコントローラ、および前記無線送受信機のそれぞれに電力供給し、かつ
さらに、前記マイクロコントローラは、前記ＰＩＲセンサから動き検出信号を受信するとすぐに、前記無線送受信機を介して、警報メッセージを送信するように構成されている、
保護ハウジング
を備える、監視装置。
【請求項２】
前記無線送受信機は、３Ｇ、４Ｇ、Ｗｉ−Ｆｉ、ブルートゥース、ＬＴＥ、および、ＬＴＥ−ＭＴＣ、ＬｏＲａ、ＮａｒｒｏｗＢａｎｄ  ＩｏＴ、６ＬｏｗＰＡＮ、およびＳｉｇｆｏｘなどの、低電力ワイドエリアネットワーク（ＬＰＷＡＮ）技術からなる群から選択される無線伝送プロトコルを実装するように構成されている、請求項１に記載の監視装置。
【請求項３】
前記監視装置は、タンパー行為を検出するように構成されたタンパースイッチをさらに備え、
前記マイクロコントローラは、前記タンパースイッチからタンパー行為検出信号を受信するとすぐに、前記無線送受信機を介して、警報メッセージを送信するように構成されている、
請求項１および２のどちらか１項に記載の監視装置。
【請求項４】
前記監視装置は、加速度計をさらに備え、
前記マイクロコントローラは、前記加速度計から動き検出信号を受信するとすぐに、前記無線送受信機を介して、警報メッセージを送信するように構成されている、
請求項１乃至３のいずれか１項に記載の監視装置。
【請求項５】
温度計、ＧＰＳポジショニングユニット、サイレン、光センサ、およびマイクロホンのうちの少なくとも１つをさらに備える、請求項１乃至４のいずれか１項に記載の監視装置。
【請求項６】
前記監視装置はマイクロホンを備え、かつ、前記マイクロコントローラは、所定の音声閾値を超える音声信号を検出するとすぐに、前記無線送受信機を介して、警報メッセージを送信するように構成されている、請求項５に記載の監視装置。
【請求項７】
前記マイクロコントローラは、所定の定期的な間隔で、前記無線送受信機を介して、ハートビート信号を伝送するようにプログラムされている、請求項１乃至６のいずれか１項に記載の監視装置。
【請求項８】
前記ＰＩＲセンサが起動された回数のカウントを維持し、かつ、前記カウントを伝送のために前記マイクロコントローラに通信するように構成されたカウンタをさらに備える、請求項１乃至７のいずれか１項に記載の監視装置。
【請求項９】
システムであって、
監視装置のセットであって、各監視装置は、
保護ハウジングであって、前記ハウジングは、
受動赤外線（ＰＩＲ）センサと、
電源と、
マイクロコントローラと、
無線送受信機と、
を収容し、
前記電源は、前記ＰＩＲセンサ、前記マイクロコントローラ、および前記無線送受信機のそれぞれに電力供給し、かつ
さらに、前記マイクロコントローラは、前記ＰＩＲセンサから動き検出信号を受信するとすぐに、前記無線送受信機を介して、警報メッセージを送信するように構成されている、
保護ハウジング
を含む、監視装置のセットと、
通信ネットワークに接続された管理サーバと、
前記警報メッセージを受信するための無線基地局であって、前記無線基地局は、通信ネットワークに接続されており、かつ、受信された警報メッセージを前記管理サーバに伝送するように構成されている、無線基地局と、
を備える、システム。
【請求項１０】
前記無線送受信機は、３Ｇ、４Ｇ、Ｗｉ−Ｆｉ、ブルートゥース、ＬＴＥ、および、ＬＴＥ−ＭＴＣ、ＬｏＲａ、ＮａｒｒｏｗＢａｎｄ  ＩｏＴ、６ＬｏｗＰＡＮ、およびＳｉｇｆｏｘなどの、低電力ワイドエリアネットワーク（ＬＰＷＡＮ）技術からなる群から選択される無線伝送プロトコルを実装するように構成されている、請求項９に記載のシステム。
【請求項１１】
各監視装置は、所定の定期的な間隔で、前記基地局を介して、前記管理サーバにハートビート信号を伝送する、請求項９および請求項１０のどちらか１項に記載のシステム。
【請求項１２】
前記管理サーバは、前記監視装置のどの１つからもハートビート信号を受信したことなく所定の時間閾値が過ぎた場合に警報を発し、前記時間閾値は前記所定の定期的な間隔よりも大きい、請求項１１に記載のシステム。
【請求項１３】
前記管理サーバは、前記監視装置のそれぞれに関連する規則的活動のスケジュールを格納し、前記スケジュールは、１日の中の期間のセットのために予期される活動の範囲を定め、
さらに、前記管理サーバは、前記監視装置のセットによって検出される活動の検出されたレベルが所定の量よりも多く前記スケジュールから逸脱した場合に警報を発する、
請求項９乃至１２のいずれか１項に記載のシステム。
【請求項１４】
前記ＰＩＲセンサが起動された回数のカウントを維持するように構成されたカウンタをさらに備える、請求項９乃至１３のいずれか１項に記載のシステム。
【国際調査報告】
2019533266.tif 000032
2019533266.tif 000033
2019533266.tif 000034